(57)【要約】【課題】自動販売機本体の前方の床面への流出する結露水の量を減少させることのできる自動販売機を提供する。【解決手段】商品収納部１３側に幅方向に亘って設けられ、上部側内扉１８の下端側が幅方向に亘って接し、下部側内扉１９の上端側が幅方向に亘って接することにより、上部側内扉１８と下部側内扉１９との間の隙間を閉鎖する閉鎖部材４０を備えたので、下部側内扉１９の上面に結露水が溜まっている状態で下部側内扉１９を開放したときに結露水を下部側内扉１９の背面側に流すことができ、下部側内扉１９の移動によって自動販売機本体１０の前方に排出される結露水の量を減少させることができる。【選択図】図１
2008299390.tif 000002
【特許請求の範囲】
【請求項１】
前面が開口された自動販売機本体と、自動販売機本体内に設けられた商品収納部と、商品収納部の前面上部を開閉する上部側内扉と、商品収納部の前面下部を開閉する下部側内扉とを備えた自動販売機において、
前記商品収納部側に幅方向に亘って設けられ、上部側内扉の下端側が幅方向に亘って接し、下部側内扉の上端側が幅方向に亘って接することにより、上部側内扉と下部側内扉の間の隙間を閉鎖する閉鎖部材を備えた
ことを特徴とする自動販売機。
【請求項２】
前記商品収納部内に吊り下げられるように設けられ、下端側から商品を搬出する商品収納コラムを備え、
閉鎖部材を商品収納コラムの前面に接触させることにより、商品収納コラムを位置決めするように構成した
ことを特徴とする請求項１記載の自動販売機。
【請求項３】
前記下部側内扉の上面に、商品収納部側に向かって下り傾斜となる傾斜部を設けた
ことを特徴とする請求項１または２記載の自動販売機。
【請求項４】
前記閉鎖部材の前面側に、幅方向に亘って斜め上方に延びる延出部を設けた
ことを特徴とする請求項１乃至３の何れか一項に記載の自動販売機。
【発明の詳細な説明】
【技術分野】
【０００１】
本発明は、飲料等の商品が収納される商品収納部の前面を開閉する断熱性の内扉を備えた自動販売機に関するものである。
【背景技術】
【０００２】
従来、この種の自動販売機としては、前面が開口された自動販売機本体と、自動販売機本体内に設けられた商品収納部と、商品収納部の前面上部を開閉する上部側内扉と、商品収納部の前面下部を開閉する下部側内扉とを備えたものが知られている（例えば、特許文献１参照）。
【特許文献１】特開２００１−３４４６４５号公報
【発明の開示】
【発明が解決しようとする課題】
【０００３】
従来の自動販売機では、商品収納部の前面を上部側内扉及び下部側内扉によって閉鎖するために、下部側内扉の上端の商品収納部側に幅方向に亘って上方に延びる閉鎖部を設け、上部側内扉の下端側を閉鎖部に密着させることにより、上部側内扉と下部側内扉の間の隙間を閉鎖するようになっている。商品収納部が冷却されている場合には、延出部の近傍が結露して下部側内扉の上面に結露水が溜まり、下部側内扉の上面に結露水が溜まった状態で下部側内扉を開放すると、結露水は全て下部側内扉の前面側を流通して落下する。自動販売機が屋内に設置されている場合には、自動販売機の前方に位置する床面が濡れてしまうため、結露水の漏水として問題となる。
【０００４】
本発明の目的とするところは、自動販売機本体の前方の床面への流出する結露水の量を減少させることのできる自動販売機を提供することにある。
【課題を解決するための手段】
【０００５】
本発明は前記目的を達成するために、前面が開口された自動販売機本体と、自動販売機本体内に設けられた商品収納部と、商品収納部の前面上部を開閉する上部側内扉と、商品収納部の前面下部を開閉する下部側内扉とを備えた自動販売機において、前記商品収納部側に幅方向に亘って設けられ、上部側内扉の下端側が幅方向に亘って接し、下部側内扉の上端側が幅方向に亘って接することにより、上部側内扉と下部側内扉の間の隙間を閉鎖する閉鎖部材を備えている。
【０００６】
これにより、閉鎖部材が商品収納部側に設けられていることから、下部側内扉を開放する際に下部側内扉の上面に溜まった結露水が下部側内扉の背面側に流通する。
【発明の効果】
【０００７】
本発明によれば、下部側内扉を開放する際に下部側内扉の上面に溜まった結露水を下部側内扉の背面側に流通させることができるので、下部側内扉の移動によって自動販売機本体の前方に排出される結露水の量を減少させることができる。
【発明を実施するための最良の形態】
【０００８】
図１乃至図６は本発明の一実施形態を示すもので、図１は外扉、上部側内扉及び下部側内扉を開放した状態の自動販売機の全体斜視図、図２は自動販売機の側面断面図、図３及び図４は閉鎖部材及び商品収納部の要部斜視図、図５及び図６は上部側内扉、下部側内扉及び閉鎖部材を示す側面断面図である。
【０００９】
この自動販売機は、前面が開口された自動販売機本体１０と、自動販売機本体１０の前面開口を開閉する外扉２０とからなり、外扉２０の幅方向一端側が自動販売機本体１０の前面側の幅方向一端側に回動自在に支持されている。
【００１０】
自動販売機本体１０の内部には、上面側、底面側、背面側及び左右両側面側が断熱壁１１によって囲まれた商品収納部１３が設けられ、商品収納部１３は断熱性の仕切板１２によって幅方向に仕切られている。
【００１１】
商品収納部１３内の天井面には、前後方向に延びる少なくとも幅方向一対のコラム支持レール１４が設けられ、複数の商品収納コラム３０が前後方向及び幅方向に並べられて吊下げられるようになっている。
【００１２】
商品収納部１３内の下部には、商品収納コラム３０の下端から落下搬出される商品を外扉２０に設けられた商品取出口２１に案内するための商品案内板１５が前方に向かって下り傾斜となるように設けられている。また、商品案内板１５の下方には商品収納部１３を冷却するための冷却器１６及び冷却器用送風機１７が設けられている。
【００１３】
ここで用いられる商品収納コラム３０は、サーペンタイン式の周知の構造を有し、上部の商品投入口３１から投入された商品を蛇行状の商品通路３２に収納し、商品通路３２の下端に設けた商品搬出機構３３によって商品通路３２内の商品を１つずつ下方に落下搬出するようになっている。この商品収納コラム３０の上端側には、コラム支持レール１４と係合可能な係合フック３４が前後方向に延びるように設けられ、商品収納部１３内に商品収納コラム３０が着脱自在に取付けられるようになっている。
【００１４】
また、商品収納部１３の前面には、商品収納部１３の前面の上部側を開閉する上部側内扉１８と、商品収納部１３の前面の下部側を開閉する下部側内扉１９が設けられている。上部側内扉１８及び下部側内扉１９には、それぞれ商品収納部１３側の面の周縁部に沿って軟質樹脂等からなるパッキン１８ａ，１９ａが設けられている。上部側内扉１８及び下部側内扉１９によって商品収納部１３を閉鎖すると、上部側内扉１８の上側及び左右両側のパッキン１８ａと下部内扉１９の下側及び左右両側のパッキン１９ａは商品収納部１３の周縁の部材に密着し、上部側内扉１８の下側と下部側内扉１９の上側のパッキン１８ａ、１９ａは後述する閉鎖部材に密着することにより、商品収納部１３の気密を保持するようになっている。また、下部側内扉１９には、上面が外扉２０側から商品収納部１３側に向かって下り傾斜となるように傾斜部１９ｂが設けられている。
【００１５】
また、商品収納部１３には、上部側内扉１８の下端と下部側内扉１９の上端との間の隙間を背面側から覆うように幅方向に延びる合成樹脂等からなる閉鎖部材４０が設けられている。閉鎖部材４０は、商品収納部１３の幅方向両側の側壁に設けられた取付板１３ａの溝１３ｂに幅方向両端を上方から係合させることにより着脱自在に取り付けられるようになっている。また、閉鎖部材４０は、商品収納部１３に取り付けられることにより商品収納部１３の最前列に位置する商品収納コラム３０の前面に接触するようになっており、商品収納コラム３０の位置決め用の部材としても用いられるようになっている。更に、閉鎖部材４０には、前面側の上下方向略中央部から斜め上方に延びる延出部４１が幅方向に亘って設けられ、上側内扉１８及び閉鎖部材４０の上部において生じる結露水を受容し幅方向に流通させるようになっている。
【００１６】
以上のように構成された自動販売機において、閉鎖部材４０を商品収納部１３に取付ける場合には、図３に示すように、閉鎖部材４０の幅方向両端側を取付板１３ａの溝１３ｂに上方から挿入する。これにより、図４に示すように、閉鎖部材４０が商品収納部１３に取付けられ、閉鎖部材４０が商品収納部１３の最前列に位置する商品収納コラム３０に接触することにより、閉鎖部材４０によって商品収納コラム３０が位置決めされる。
【００１７】
また、商品収納部１３に取り付けられた閉鎖部材４０は、図５に示すように、上部側内扉１８の下端と下部側内扉１９の上端を跨ぐ位置に設けられ、上部側内扉１８及び下部側内扉１９によって商品収納部１３の前面をそれぞれ閉鎖すると、図６に示すように、上部側内扉１８の下側のパッキン１８ａ及び下部側内扉１９の上側のパッキン１９ａがそれぞれ閉鎖部材４０の前面に密着し、商品収納部１３が密閉される。
【００１８】
上部側内扉１８及び下部側内扉１９によって商品収納部１３が閉鎖されている状態で商品収納部１３を冷却すると、閉鎖部材４０の前面側が結露する。このとき、延出部４１の下方に生じる結露水は、下部側内扉１９の上面が傾斜部１９ｂとなっていることから、下部側内扉１９の前面側を流れることなく、下部側内扉１９の上面の商品収納部１３側を幅方向に流れて下部側内扉１９の幅方向端部から自動販売機本体１０内に排出される。また、延出部４１の上方に生じる結露水は、延出部４１が斜め上方に延びるように形成されていることから、下部側内扉１９側に流れることなく、延出部４１の上面を幅方向に流れて延出部４１の幅方向端部から自動販売機本体１０内に排出される。また、下部側内扉１９の上面に結露水が溜まっているときに下部側内扉１９が開放されると、結露水は下部側内扉１９と閉鎖部材４０との間を下方に向かって流れるため、下部側内扉１９の移動によって自動販売機本体１０の前方に排出される結露水の量を減少させ、結露水の大部分は自動販売機本体１０内に排出される。
【００１９】
このように、本実施形態の自動販売機によれば、商品収納部１３側に幅方向に亘って設けられ、上部側内扉１８の下端側が幅方向に亘って接し、下部側内扉１９の上端側が幅方向に亘って接することにより、上部側内扉１８と下部側内扉１９との間の隙間を閉鎖する閉鎖部材４０を備えたので、下部側内扉１９の上面に結露水が溜まっている状態で下部側内扉１９を開放したときに結露水を下部側内扉１９の背面側に流すことができ、下部側内扉１９の移動によって自動販売機本体１０の前方に排出される結露水の量を減少させることができる。
【００２０】
また、閉鎖部材４０によって商品収納部１３内に吊り下げられた最前列の商品収納コラム３０を位置決めするようにしたので、商品収納コラム３０を位置決めするための専用の部材を別途設ける必要がなく、部品点数の減少させることによって製造コストの低減を図ることが可能となる。
【００２１】
また、下部側内扉１９を、上面が商品収納部１３側に向かって下り傾斜となるように形成したので、下部側内扉１９の上面に溜まる結露水の前面側への流出を防止することができ、より確実に下部側内扉１９の移動によって自動販売機本体１０の前方に排出される結露水の量を減少させることができる。
【００２２】
また、閉鎖部材４０の前面側に、幅方向に亘って斜め上方に延びる延出部４１を設けたので、閉鎖部材４０の上部側に生じる結露水を延出部４１に受容することができ、下部側内扉１９の上面から前面側への結露水の溢れを防止することができる。
【図面の簡単な説明】
【００２３】
【図１】本発明の一実施形態を示す外扉、上部側内扉及び下部側内扉を開放した状態の自動販売機の全体斜視図
【図２】自動販売機の側面断面図
【図３】閉鎖部材及び商品収納部の要部斜視図
【図４】閉鎖部材及び商品収納部の要部斜視図
【図５】上部側内扉、下部側内扉及び閉鎖部材の側面断面図
【図６】上部側内扉、下部側内扉及び閉鎖部材の側面断面図
【符号の説明】
【００２４】
１０…自動販売機本体、１３…商品収納部、１８…上部側内扉、１８ａ…パッキン、１９…下部側内扉、１９ａ…パッキン、１９ｂ…傾斜部、３０…商品収納コラム、４０…閉鎖部材、４１…延出部。
【図１】
2008299390.tif 000003
【図２】
2008299390.tif 000004
【図３】
2008299390.tif 000005
【図４】
2008299390.tif 000006
【図５】
2008299390.tif 000007
【図６】
2008299390.tif 000008